(57)【特許請求の範囲】
【請求項１】
磁気ヘッドと対向すべき領域をスライド可能なシャッタで閉じるようにした磁気ディスクの受け入れ部を有する磁気ディスクドライバであって、前記受け入れ部には、前記磁気ディスクを所定方向にガイドするイジェクトプレートと、前記磁気ディスクの導入に伴って前記シャッタに係合して回動することにより前記シャッタを開方向に駆動すると共に、バネ部材との組み合わせにより前記磁気ディスクを排出する方向に付勢するイジェクトレバーとによるイジェクト機構を含み、前記イジェクトレバーは、前記磁気ディスクが前記受け入れ部に受け入れられるときに前記磁気ディスクの先端部が突き当たり前記磁気ディスクの押圧とともに回転するレバー部と、該レバー部とともに回転する係止部とを有している磁気ディスクドライバにおいて、
前記イジェクトプレートは、前記イジェクトレバーの前記係止部をガイドしながら回転させるフックガイド部を有し、該フックガイド部は、前記係止部の回転方向に沿って曲げられている曲げ部と、前記磁気ディスクを押し込みを完了したときに、前記係止部の先端が突き当たる突き当て部とを有していることを特徴とする磁気ディスクドライバ。
【発明の詳細な説明】
【０００１】
【発明が属する技術分野】
本発明は、磁気ディスクを回転駆動して情報処理を行う磁気ディスクドライバに関し、特に、その磁気ディスクドライバのイジェクト機構におけるイジェクトプレートの改良に関する。
【０００２】
【従来の技術】
図３を参照して、一般的な磁気ディスクドライバの内部構成について説明する。この磁気ディスクドライバは、カバー１と、このカバー１に組み合わされるフレーム２と、ディスクテーブル３と、イジェクトプレート４と、ディスクホルダ５とを有している。イジェクトプレート４とディスクホルダ５とは、互いに対向しており、これらの間で磁気ヘッド（図示ぜず）と対向すべき領域をスライド可能なシャッタで閉じるようにした磁気ディスク（図示せず）の受け入れ部を構成している。
【０００３】
フレーム２の長手方向の両縁面のそれぞれには、舌片２０が形成されている。これらの舌片２０には穴２１が穿設されている。また、フレーム２に設けられているレバーピン２３には、イジェクトレバー６が回動自在に設けられている。このイジェクトレバー６は、レバー部６０と、円弧板状の係止部６１とを有している。イジェクトレバー６には、イジェクトレバーばね６２が装着されている。イジェクトレバーばね６２は、イジェクトレバー６を図面上、左回りに付勢している。また、フレーム２の前端部には、フロントベゼル７が取り付けられている。
【０００４】
ディスクテーブル３は、回転軸３０を有している。この回転軸３０をフレーム２に設けられている軸受２２に挿入することによって、ディスクテーブル３は、フレーム２に回転自在に設けられている。
【０００５】
イジェクトプレート４は、所定方向ａ1 （磁気ディスクの挿入方向）でスライド自在なように、フレーム２上に備えられている。このイジェクトプレート４は、磁気ディスクドライバの作動時にディスクホルダ５と共に、磁気ディスクを所定方向ａ1 で受け入れ部内に挿入し、或いは磁気ディスクを所定方向ａ2 で受け入れ部内から取り出すために、所定方向ａ2 で磁気ディスクがスライド自在なように磁気ディスクを保持する。イジェクトプレート４の長手方向の両側のそれぞれには、イジェクトプレート４の主板４ａに対して直角方向に側壁４０が形成されている。これらの側壁４０には、それぞれカム部４１が形成されている。
【０００６】
また、イジェクトプレート４の主板４ａには、側壁４０に沿って切抜き部４２がそれぞれ形成され、イジェクトプレート４の主板４ａの中央部には、ディスクテーブル３を取り囲むように、略Ｕ字状の大きな切り欠き部４３が形成されている。さらに、イジェクトプレート４の所定方向ａ1 の端部には、図４にも示すように、フック部４４が形成されている。フック部４４の先端には、樹脂材によって作られているフックガイド部材４５が取り付けられている。フックガイド部材４５は、イジェクレバー６の係止部６１がガイド及び突き当たる部分である。
【０００７】
ディスクホルダ５は、イジェクトプレート４上に配置されている。ディスクホルダ５の長手方向の側縁のそれぞれには、側壁５０が形成されている。これらの側壁５０には、それぞれ突片５１が形成されている。これらの突片５１は、イジェクトプレート４の切り抜き部４２を通してフレーム２の穴２１に挿通される。この突片５１がフレーム２の穴２１に挿通されることにより、ディスクホルダ５は、フレーム２に対する所定方向ａの位置が決められると同時に、ディスクホルダ５は、ディスクテーブル３の回転軸３０の軸方向ｂで上下動自在となる。また、側壁５０には、ピン５２が設けられている。ピン５２は、イジェクトプレート４の側壁４０に形成されたカム部４１内に挿通される。ディスクホルダ５とイジェクトプレート４との間には、イジェクトばね８が架設されている。
【０００８】
次に、動作について説明する。まず、磁気ディスクをフロントベゼル７から受け入れ部内に挿入すると、この磁気ディスクは、イジェクトプレート４上をスライドし、その先端部がイジェクトレバー６のレバー部５０の先端に付き当たる。この動きとともに、イジェクトレバー６の係止部６１は、図４に示すように、フックガイド部材４５に内周面がガイドされながら回転する。さらに、この磁気ディスクを押し込むと、イジェクトレバー６は、磁気ディスクによって押圧され、この結果、図面上、右回りに回転する。この際、イジェクトレバー６は、レバー部６０の先端で磁気ディスクのシャッタを開く。
【０００９】
さらに、磁気ディスクを押し込むと、図４に示すうに、イジェクトプレート４のフックガイド部材４５と、これを係止しているイジェクトレバー６の係止部６１の内周面との間の係合が外れ、係止部６１の先端がフックガイド部材４５を押圧して、図５に示すように、突き当たった状態になる。この結果、イジェクトレバーばね８の付勢力によって、イジェクトプレート４は所定方向ａ2 に沿って、フロントベゼルル７の方へスライドする。この際、イジェクトプレート４のカム部４１は、ディスクホルダ５のピン５２を下方に押圧し、その結果、ディスクホルダ５は、回転軸方向ｂに沿って下方へ移動する。このとき、フレーム２の穴２１と、これに挿通されているディスクホルダ５の突片５１とによって、ディスクホルダ５を回転軸方向ｂに沿って下方へ案内する。下方に移動したディスクホルダ５と、イジェクトプレート４とで磁気ディスクが保持される。この結果、磁気ディスクのハブは、ディスクテーブル３に押し付けられ、このディスクテーブル３を介して、磁気ディスクは、モータ（図示せず）により駆動される。
【００１０】
一方、磁気ディスクを磁気ディスクドライバから取り出す際には、まず、イジェクトプレート４を所定方向ａ1 に押圧して移動させ、イジェクトレバー６の方へスライドさせる。イジェクトプレート４がイジェクトレバー６の方へスライドすると、イジェクトプレート４のカム部４１は、ディスクホルダ５のピン５２を上方へ押圧し、ディスクホルダ５が上昇する。このとき、フレーム２の穴２１とディスクホルダ５の突片５とで、ディスクホルダ５を回転軸方向ｂに沿って上方へ案内する。さらに、イジェクトプレート４をイジェクトレバー６の方へ押圧すると、図４に示したように、イジェクトプレート４のフックガイド部材４５とイジェクトレバー６の係止部６１の径方向面との間の押圧により係合が外れ、イジェクトレバー６が、イジェクトレバーばね６２の付勢力によって、左回りに回転する。
【００１１】
この際、イジェクトレバー６は、レバー部６０で磁気ディスクを押圧し、この結果、磁気ディスクは、イジェクトプレート４上をスライドし、その一部がフロントベゼル７から飛び出す。そして、イジェクトレバー６の係止部６１の内周面と、イジェクトプレート４のフックガイド部材４５とが係合し、この結果、イジェクトプレート４は係止され、ディスクホルダ５もイジェクトプレート４によって係止される。
【００１２】
【発明が解決しようとする課題】
ところで、この種の磁気ディスクドライバにおいては、部品点数が多く、しかも一つ一つの部品は小さいので、組み立て作業が面倒となることから、部品点数の削減が必須の課題である。
【００１３】
即ち、イジェクトプレート４のフック部４４においても、フックガイド部材４５を取り付けなければならず、小形かつ薄い板であるフック部４４の先端に小部品であるフックガイド部材４５を外れないように、しかも正確に位置決めして取り付ける作業は、極めて困難なものとなっている。
【００１４】
さらに、フックガイド部材４５は、機械的なイジェクト操作の繰り返しによっても、フック部４４から外れてしまうことがある。
【００１５】
それ故に、本発明の課題は、部品点数の削減でき、組み立て作業の効率を向上させることができ、イジェクトレバーとイジェクトプレートとの操作における機械的な信頼性を向上させることができる磁気ディスクドライバを提供することにある。
【００１６】
【課題を解決するための手段】
本発明によれば、磁気ヘッドと対向すべき領域をスライド可能なシャッタで閉じるようにした磁気ディスクの受け入れ部を有する磁気ディスクドライバであって、前記受け入れ部には、前記磁気ディスクを所定方向にガイドするイジェクトプレートと、前記磁気ディスクの導入に伴って前記シャッタに係合して回動することにより前記シャッタを開方向に駆動すると共に、バネ部材との組み合わせにより前記磁気ディスクを排出する方向に付勢するイジェクトレバーとによるイジェクト機構を含み、前記イジェクトレバーは、前記磁気ディスクが前記受け入れ部に受け入れられるときに前記磁気ディスクの先端部が突き当たり前記磁気ディスクの押圧とともに回転するレバー部と、該レバー部とともに回転する係止部とを有している磁気ディスクドライバにおいて、前記イジェクトプレートは、前記イジェクトレバーの前記係止部をガイドしながら回転させるフックガイド部を有し、該フックガイド部は、前記係止部の回転方向に沿って曲げられている曲げ部と、前記磁気ディスクを押し込みを完了したときに、前記係止部の先端が突き当たる突き当て部とを有していることを特徴とする磁気ディスクドライバが得られる。
【００１７】
【発明の実施の形態】
図１を参照して、本発明の磁気ディスクドライバの実施の形態の一例を説明する。なお、図３の従来例で説明した磁気ディスクドライバの構成については、イジェクトプレート４を除いて同じ構成であり、さらにイジェクトレバー６の回転についても同じ動作となるため、本発明の特徴部分であるイジェクトレバー６とイジェクトプレート４との関係について、同じ部分には同じ符号を用いて一部を省略して説明する。
【００１８】
イジェクトレバー６は、図３の従来例で説明したよに、磁気ディスクが受け入れ部に受け入れられるときに磁気ディスクの先端部が突き当たり磁気ディスクの押圧とともに回転するレバー部５０と、レバー部５０とともに回転する係止部６１とを有している。
【００１９】
レバー部６１は、イジェクトプレート４の主板４ａに対して垂直方向に配置されている。係止部６１は、レバー部６０の中間部分から円弧状にのび、かつイジェクトプレート４の主板４ａに対して水平方向に配置されている。
【００２０】
イジェクトプレート４は、イジェクトレバー６の係止部６１の内周面を係合しつつ回転方向にガイドさせるフックガイド部４６を有している。フックガイド部４６は、係止部６１の回転方向に沿って曲げられている曲げ部４７と、磁気ディスクを押し込みが完了したときに、係止部６１の先端が突き当たる突き当て部４８とを有している。
【００２１】
フックガイド部４６を形成するには、イジェクトプレート４をプレスにより打ち抜き形成する際に同時に打ち抜かれ、その後、曲げ加工を施すことによって、曲げ部４７と突き当て部４８とが形成される。
【００２２】
突き当て部４８は、イッジェクトプレート４の主板４ａに対して直角方向に曲げられて係止部６１の先端が突き当たる突き当て面４８ａを有している。曲げ部４７は、突き当て面４８ａに引き続き係止部６１の回転方向に曲げられてのびている湾曲面４７ａを有している。
【００２３】
次に、イジェクトプレート４とイジェクトレバー６との関係動作について図３、をも参照しながら説明する。動作説明においても、図３で示したフック部４４及びフックガイド部材４５に置き換えてることによって本発明の特徴部分である図１及び図２のフックガイド部４６を参照して説明する。
【００２４】
まず、磁気ディスクをフロントベゼル７から受け入れ部に挿入すると、磁気ディスクは、イジェクトプレート４上をスライドし、その先端部がイジェクトレバー６のレバー部５０の先端に付き当たる。この動きとともに、イジェクトレバー６の係止部６１は、フックガイド部４６の曲げ部４７に内周面がガイドされながら回転方向に移動する。さらに、この磁気ディスクを押し込むと、イジェクトレバー６は、磁気ディスクによって押圧され、この結果、図面上、右回りに回転する。
【００２５】
さらに、磁気ディスクを押し込むと、イジェクトプレート４のフックガイド部４６と、これを係止しているイジェクトレバー６の係止部６１の内周面との間の係合が外れ、係止部６１の先端が突き当て部４８の突き当て面４８ａを押圧した状態になる。
【００２６】
一方、磁気ディスクを磁気ディスクドライバから取り出す際には、イジェクトプレート４のフックガイド部４６とイジェクトレバー６の係止部６１の径方向面との間の押圧により係合が外れ、イジェクトレバー６がイジェクトレバーばね６２の付勢力によって、左回りに回転する。
【００２７】
この際、イジェクトレバー６は、レバー部６０で磁気ディスクを押圧し、この結果、磁気ディスクは、イジェクトプレート４上をスライドし、その一部がフロントベゼル７から飛び出す。そして、イジェクトレバー６の係止部６１の内周面と、イジェクトプレート４の曲げ部４７の湾曲面４７ａとが係合し、この結果、イジェクトプレート４は係止される。
【００２８】
【発明の効果】
以上、説明したように、本発明の磁気ディスクドライバによれば、イジェクタレバーの所定の回転を規制するために係止部が押圧して係合するイジェクトプレートに曲げ加工によってフックガイド部を形成したため、部品点数の削減でき、組み立て作業の効率を向上させることができる。
【００２９】
また、フックガイド部は、イジェクタプレートそのものを曲げ加工して形成されているため、イジェクト操作によっても外れたりすることがなく信頼性を向上させるのとができる。
【図面の簡単な説明】
【図１】本発明の磁気ディスクドライバに適用するイジェクトプレートの要部を示す平面図である。
【図２】図１のイジェクトプレートの側面図である。
【図３】従来の磁気ディスクドライバの分解斜視図である。
【図４】図３の磁気ディスクドライバに適用するイジェクトプレートの要部を示す平面図である。
【図５】図４のイジェクトプレートの移動時における状態を示す平面図である。
【符号の説明】
２    フレーム
３    ディスクテーブル
４    イジェクトプレート
５    ディスクホルダ
６    イジェクトレバー
７    フロントベゼル
８    イジェクトばね
４４    フック部
４５    フックガイド部材
４６    フックガイド部
４７    曲げ部
４８    突き当て部
４７ａ    湾曲面
４８ａ    突き当て面
６０    レバー部
６１    係止部
【図１】
0003642089.tif 000002
【図２】
0003642089.tif 000003
【図３】
0003642089.tif 000004
【図４】
0003642089.tif 000005
【図５】
0003642089.tif 000006